(57)【要約】【課題】本願発明の主な課題は、ハイパワーＬＥＤのラジエターの欠陥を克服して、ＬＥＤ照明器具についてより効率的な放熱構造を備え、外形的にも美しく、実用的な価値が高いＬＥＤ照明器具を提供することである。【解決手段】  ラジエター１４は、放熱中空円柱体１５と、放熱中空円柱体１５の表面の複数の放熱鰭２を備えている。図３のように放熱中空円柱体１５に接続しているすべての鰭２の底４に、隣り合った鰭２を２枚連結し、すべての放熱鰭２は所定の角度Ｒで、同じ方向に傾いており、放熱鰭２毎に前後表面は、でこぼこな起伏の水の紋様の波浪（波浪表面）３に形成されている。【選択図】図３
2010114060.tif 000002
【特許請求の範囲】
【請求項１】
発光ダイオードを光源とするＬＥＤ照明器具において、
該ＬＥＤ照明器具は、本体と、この本体に収容されているＬＥＤ定電流駆動回路と、このＬＥＤ定電流駆動回路に電力を供給する商用電源接続部を備えると共に、
前記本体にはラジエターが設けられており、
前記ラジエターは、放熱中空円柱体と、放熱中空円柱体の表面の複数の放熱鰭を備え、放熱中空円柱体に接続しているすべての鰭の底に、隣り合った鰭を２枚連結し、すべての放熱鰭は所定の角度Ｒで、同じ方向に傾いており、放熱鰭毎に前後表面はでこぼこな起伏の水の紋様の波浪に形成さていることを特徴とするＬＥＤ照明器具。
【請求項２】
前記放熱中空円柱体の上部内壁には、ＬＥＤチップを載せる円形押さえ塊が嵌め込まれていることを特徴とする請求項１に記載のＬＥＤ照明器具。
【請求項３】
前記円形押さえ塊の下部には、円形にへこむ溝として断面台形状の凹みが形成されていることを特徴とする請求項２に記載のＬＥＤ照明器具。
【請求項４】
前記放熱中空円柱体及び前記円形押さえ塊の材質は、銅或いは銅の合金であることを特徴とする請求項２または３に記載のＬＥＤ照明器具。
【請求項５】
前記円形押さえ塊の直径は、前記放熱中空円柱体の上部内壁の内径に、略等しいか、大きいことを特徴とする請求項２乃至４の何れかに記載のＬＥＤ照明器具。
【請求項６】
前記放熱中空円柱体の中空内壁の表面には、多数の半円形にへこむ溝が壁に環となって相連なっていることを特徴とする請求項１乃至５の何れかに記載のＬＥＤ照明器具。
【請求項７】
前記円形押さえ塊の前記上部内壁に対する嵌め合わせは、熱すると膨張し、反対に冷却すると縮む作用を利用したことを特徴とする請求項５のＬＥＤ照明器具。
【請求項８】
前記円形押さえ塊の前記上部内壁に対する嵌め合わせは、前記ラジエターを１６０〜２４０度のオーブンに入れて膨張させ、前記円形押さえ塊は、−１０〜−１６度の冷凍施設に入れて縮ませて、前記円形押さえ塊を前記上部内壁に入れたことを特徴とする請求項２〜７の何れかに記載のＬＥＤ照明器具。
【請求項９】
前記ＬＥＤ定電流駆動回路は、過熱保護回路、落雷を防ぐ過電圧保護回路、整流回路、パワーマネジメントチップ、フォトカプラフィードバック回路とを備え、
前記パワーマネジメントチップは、フォトカプラフィードバック回路のフィードバック信号を受け入れ、この信号に基づき、前記ＬＥＤ定電流駆動回路の動作をコントロールして、ＬＥＤ定電流駆動回路の広い電圧の入力機能を実現すると共に、ＰＷＭのコントロール機能を備えていることを特徴とする請求項１に記載のＬＥＤ照明器具。
【請求項１０】
前記過熱保護回路には、自己回復性温度ヒューズの保護機能と、前記パワーマネジメントチップ内蔵の加熱保護機能が含まれていることを特徴とする請求項９に記載のＬＥＤ照明器具。
【請求項１１】
前記過電圧保護回路には、バリスタの保護機能と、前記パワーマネジメントチップ内蔵の過電圧保護機能が含まれていることを特徴とする請求項９に記載のＬＥＤ照明器具。
【請求項１２】
前記パワーマネジメントチップは、ＶＩＰＥＲ１２Ａチップであることを特徴とする請求項９に記載のＬＥＤ照明器具。
【発明の詳細な説明】
【技術分野】
【０００１】
本発明は、発光ダイオードを光源とするＬＥＤ照明器具に関するものである。
【背景技術】
【０００２】
石油等の世界的なエネルギーの不足、環境保護の要求の高まりにつれて、伝統的な白熱灯は徐々に淘汰されている。
一方で、蛍光灯、省エネランプ等が普及されているが、それらは生産過程中に、水銀等の有害物質を使わなければならないため、省エネには合致するものの、環境保護の要求を満たすことができない。
このように状況で、発光半導体技術の継続的な研究の発展につれて、ハイパワーＬＥＤチップが研究製作に成功している。
ハイパワーＬＥＤチップは、光度が強く、色性の現れがよく、発光効率が高く、駆動電圧が低く、使用寿命が長く、紫外線がなく、有害な金属がなく、インストール（設置）が便利等のメリットを備えているため、２１世紀には伝統的な照明器具の光源に取って代わることが可能で、照明市場において、主導的な役割が期待されている。
【０００３】
しかし、ハイパワーＬＥＤチップは、シングルＬＥＤが一定の直並列に接続されて集積されているため、駆動電流が大きく、現在のハイパワーＬＥＤチップは、その通電中で大量の熱量を発生している。
日常的に使用されるＬＥＤ照明器具の定電流駆動電源は、そのランプカップの中に内蔵されているため、動作環境が悪く、ＬＥＤチップの通電中に発生した熱量がランプカップの中に導入されることになる。また、ＬＥＤチップの急激な温度の上昇は、発光の急激な減衰を招き、ＬＥＤチップが破壊される恐れがある。
【０００４】
大量のデータの測定によれば、ランプカップの中の環境温度と、ＬＥＤチップ底部の温度が基本的に同一の範囲内にあることが判明している。
これらの問題を解決するための一つの技術的手段は、ラジエター（ラジエーター）に関するもので、例えば特許文献１には、放熱翼を多段に設けた筐体を備えたマルチチップＬＥＤ照明用ランプが開示されているが、ハイパワーＬＥＤのラジエターの放熱技術を解決すれば、最大限度でＬＥＤの光衰を遅らせて、ＬＥＤ照明器具の使用寿命を増加させることができる。よって、ハイパワーＬＥＤのラジエターの設計研究は、当該業界において早急に解決されるべき問題である。
【０００５】
一方、ランプカップの中の環境温度が、ＬＥＤ照明器具の外部環境の使用温度を上回るときに、その高温は、ＬＥＤチップの光を加速的に衰えさせ、その寿命に対して大きな影響を与える。
この問題を解決するための技術的手段として、例えば特許文献２には、環境温度を検出する温度センサー９や冷却用ファン２０等が開示されている。
【先行技術文献】
【特許文献】
【０００６】
【特許文献１】特開２００８−１８６７５８号公報
【特許文献２】特開２００４−２４６０４７号公報
【発明の概要】
【発明が解決しようとする課題】
【０００７】
本願発明が解決しようとする課題は、第１に、ハイパワーＬＥＤのラジエターの欠陥を克服して、再び研究と設計を行い、ＬＥＤ照明器具についてより効率的な放熱構造を備え、外形的にも美しく、実用的な価値が高いＬＥＤ照明器具を提供することである。
第２に、ＬＥＤ照明器具を構成するＬＥＤチップを熱ストレス等から保護することである。具体的には、ＬＥＤチップの温度を検査、測定し、相応の保護措置をとって、極限の温度値に達成する前に、その動作を停止させる構成を提供することであり、第３に、夏季に多い雷電に対し、どの様にしてＬＥＤチップを保護する構成を提供することができるかである。
【課題を解決するための手段】
【０００８】
上記第１の課題を解決するため、本願発明は、一種の新型構造のラジエターを提供するもので、ＬＥＤラジエターの放熱構造を５つの部分に細分化する。
即ち、１．  ＬＥＤチップ、２．  導熱部（ＬＥＤとの直接接触部分）、３．  転熱壁（転熱塊表面と接触部分）、４．  熱容部（転熱壁とラジエター放熱外表面間の金属部分）、５．  放熱部（ラジエター外部表面）に分ける。
このような細分の中から、最も理想的なラジエターの構造は、ＬＥＤチップの仕事中に発生する熱量＝導熱部の導き出す熱量＝転熱壁の導き出す熱量＝熱容部にメモリー（蓄積される）される熱量＝発熱部（ＬＥＤチップ）の毎秒の発熱熱量となることであり、ラジエターの解決すべき問題が上記等式を満たすことである。
即ち、最も重要な問題は、（ラジエターの）放熱鰭の数量を増加させること、放熱鰭の表面面積とＬＥＤチップを組み込んだ塊（導熱部に相当）とラジエター中空壁（熱容部）とをしっかりと結びつけ、ＬＥＤチップの仕事中に生成される熱を効率的にラジエター外部表面を介して外部に発散させることで達成される。
【０００９】
当発明は、一種のＬＥＤチップの定電流駆動回路に関連していて、特に過熱保護と落雷を防ぐ機能を持つ定電流駆動回路で、上記第２及び第３の課題を解決するため、発光ダイオードを光源とするＬＥＤ照明器具において、該ＬＥＤ照明器具は、本体と、この本体に収容されているＬＥＤ定電流駆動回路と、このＬＥＤ定電流駆動回路に電力を供給する商用電源接続部を備えると共に、前記ＬＥＤ定電流駆動回路は、過熱保護回路、落雷を防ぐ過電圧保護回路、整流回路、パワーマネジメントチップ、フォトカプラフィードバック回路とを備え、前記パワーマネジメントチップは、フォトカプラフィードバック回路のフィードバック信号を受け入れ、この信号に基づき、前記ＬＥＤ定電流駆動回路の動作をコントロールして、ＬＥＤ定電流駆動回路の広い電圧の入力機能を実現すると共に、ＰＷＭのコントロール機能を備えていることを特徴とするＬＥＤ照明器具とした。
当発明は、一種の隔離式ＬＥＤ定電流駆動回路を提供しており、この電気回路の特徴は、隔離式ＬＥＤ定電流駆動回路の信頼度が高く、しかも過熱保護機能と落雷防止機能を備え、同時にまたソフトスタート機能を備えている。
【発明の効果】
【００１０】
本発明によれば、ラジエターの放熱鰭の数量を増加させることができ、放熱鰭の表面面積とＬＥＤチップを組み込んだ塊（導熱部に相当）とラジエター中空壁（熱容部）とをしっかりと結びつけることができ、ＬＥＤチップの仕事中に生成される熱を効率的にラジエター外部表面を介して外部に発散させることできるＬＥＤ照明装置を提供することができる。
また、本発明によれば、隔離式ＬＥＤ定電流駆動回路の信頼度が高く、しかも過熱保護機能と落雷防止機能を発揮するＬＥＤ定電流駆動回路を備えたＬＥＤ照明装置を提供することができる。
【図面の簡単な説明】
【００１１】
【図１】図１は、実施例１のＬＥＤ照明器具としての電球型ＬＥＤランプの斜視図である。
【図２】図２は、同ランプに用いられる、押さえ塊を取り付けたラジエター（放熱部）の上方からの斜視図である。
【図３】図３は、同放熱部の横断面図である。
【図４】図４は、同ランプに用いられる放熱部の下方（底面）からの斜視図である。
【図５】図５は、同放熱部の上方からの押さえ塊を取り付ける前の斜視図である。
【図６】図６は、ＬＥＤチップを載せる円形押さえ塊の断面図である。
【図７】図７は、実施例２のＬＥＤ照明器具としての電球型ＬＥＤランプの斜視図である。
【図８】図８は、実施例３のＬＥＤ照明器具としての電球型ＬＥＤランプの斜視図である。
【図９】図９は、同ランプの縦断面図である。
【図１０】図１０は、ＬＥＤ照明器具に用いられるＬＥＤ定電流駆動回路の回路図である。
【発明を実施するための形態】
【００１２】
本願発明のＬＥＤ照明器具１０は、本体１１と、この本体１１に収容されているＬＥＤ定電流駆動回路１２と、このＬＥＤ定電流駆動回路１２に電力を供給する商用電源接続部１３を備えるものである。実施例１は、図１に示したように電球型ＬＥＤランプであって、本体１１にラジエター１４を設けている。
【００１３】
前記ラジエター１４は、図２〜図５のように、放熱中空円柱体１５と、放熱中空円柱体１５の表面の複数の放熱鰭２を備えている。図３のように放熱中空円柱体１５に接続しているすべての鰭２の底４に、隣り合った鰭２を２枚連結し、すべての放熱鰭２は所定の角度Ｒで、同じ方向に傾いており、放熱鰭２毎に前後表面は、でこぼこな起伏の水の紋様の波浪（波浪表面）３に形成されている。
前記放熱中空円柱体１５の上部には、図２のようにＬＥＤチップを載せるチップ載置部（導熱部に相当）１を備えた円形押さえ塊（転熱塊に相当）７が嵌め込まれている。
図３〜図５のように、前記放熱中空円柱体１５に嵌め込まれる円形押さえ塊７の下の中空内壁の表面（放熱中空壁表面）５は、多数の半円形にへこむ溝５０が壁に環となって相連なっている。
【００１４】
前記ラジエター（以下、放熱部とも称する）１４の全体的な形状は、図１のように、商用電源接続部１３の口金に向かうに従い、その径が小さくなるテーパ面１７を備えるようにしてもよいし、図７のように、発光窓１８に向かうテーパ面１７を備えるようにしてもよい
【００１５】
詳細な前記放熱鰭２は、図３のように、放熱中空円柱体１５の中心軸Ｏから３６０度の方向に、熱容部８の表面より突出する第１の枝部２０、２０・・・と、この第１の枝部２０、２０・・・の各底４から二股に枝分かれする第２の枝部２１、２１・・・を備えて構成されている。
第１の枝部２０及び第２の枝部２１は、その第２の枝部２１の自由端（端部）が円柱の母線を形成するように、それぞれ薄板状に、前記中心軸Ｏに沿うように形成されている。
前記放熱鰭２の第２の枝部２１は、鰭２の底４から所定の角度Ｒで傾斜しているが、第１の枝部２０も所定の角度Ｒよりも小さく鋭角状に傾斜させてもよい。
また、前記放熱中空円柱体１５の中心Ｏを通る円弧ｒに沿うように所定の曲率で形成されているが、前記所定の角度Ｒで直線状に形成させてもよい。
【００１６】
以上のように、第１の枝部２０の底４から二股に枝分かれする第２の枝部２１を備えていることで、放熱鰭２の数量を増加させ、且つ、それらの放熱鰭２毎に同一の方向に向かって傾斜させて、放熱鰭２の長さを増加させている。
また、全ての放熱鰭２の表面を水の紋様の波浪３の形に形成して、放熱鰭の放熱表面積を増加させている。
よって、このような構成により、放熱面積の不足の問題を解決している。
【００１７】
前記放熱中空円柱体１５の中空内壁には、図５のように円形押さえ塊７の嵌め込み部（段）６が形成されている。
【００１８】
以上のように構成された中空の円柱の放熱部１４は、型から押し出し加工により一体に作成し、需要に応じた長さにより、段を切って、異なるパワーの大きさのＬＥＤチップの放熱に用いる。
【００１９】
そして、中空の円柱の放熱部１４にＬＥＤチップを載せる円形押さえ塊７を取付けて、その円形押さえ塊７の直径と前記放熱中空円柱体１５の直径（上部内壁の内径ＩＤ  図５参照）と同じに、或いは空の前記放熱中空円柱体１５の直径よりも大きくして、２つの金属部品に更にしっかりと結び付けて温度の転送スピードを高める。
【００２０】
円形押さえ塊７の直径と前記放熱中空円柱体１５の直径（内径）と同じに、或いは円形押さえ塊７の直径が前記放熱中空円柱体１５の直径（内径）よりも大きい場合には、中空の円柱の放熱部１４にＬＥＤチップの円形押さえ塊７を取り付けることができない状況が発生する。この技術的な難題を解決するため、数回の試験を経て、金属の冷却による収縮と、熱膨張を研究した。
その結果、前記円形押さえ塊７の前記放熱中空円柱体１５の上部内壁１９に対する嵌め合わせは、前記放熱鰭２（放熱中空円柱体１５）を１６０℃〜２４０℃のオーブンに入れて膨張させ、前記円形押さえ塊７は、−１０℃〜−１６℃の冷凍施設に入れて縮ませたのち、前記円形押さえ塊７の前記上部内壁１９に対し嵌め合わせること、例えば押し抜く装置により冷却により収縮した円形押さえ塊７を熱膨張した中空の円柱の放熱部１４の内壁１９に入れる。
【００２１】
なお、図６のように、全体の照明器具の重量を減少させるため、内部電源（ＬＥＤ定電流駆動回路１２等）の収容空間を増加させ、前記円形押さえ塊７の下部には、断面台形状の凹み等を設計し、円形押さえ塊７と中空の円柱の放熱部内壁１９の熱転送に影響を与えることなく、効果的に円形押さえ塊の重量を減少させた。なお、凹みの形状は略円錐状のものでもよい（図９参照）。
その他、図８のように、発光窓１８の外周をラジエター１４の外径１４ａに略一致させる程度まで、発光窓１８を拡大させると共に、ラジエター１４の外周１４ｂの寸法Ｍに対し、約半分の領域にテーパ面１７を施してもよい。
かかる構成により、全体の照明範囲を拡大させ、且つ、器具の重量を減少させることができる。
【００２２】
前記ＬＥＤ定電流駆動回路１２は、図１０のように、商用交流電源を整流する整流し平滑化する整流回路３０と、整流回路３０からの出力を変圧（降圧）させるトランスＴ１と、トランスＴ１からの出力を電源として発光ダイオードを点灯させるＬＥＤ点灯回路３１と、トランスＴ１の一次側と二次側とを電気的に隔離可能にして、出力電圧を制御するためのフォトカプラフィードバック回路３２を備えている。
【００２３】
前記整流回路３０の前段であって、その入力端側には過熱保護回路を構成する自己回復性温度ヒューズＦ１が、直列に接続されている。
この自己回復性温度ヒューズＦ１は、異なる動作場所によってその動作のパラメーターに対して選択を行うことができるもので、定電流駆動の周囲の環境が自己回復性温度ヒューズＦ１の動作値を上回るとき、その自己回復性温度ヒューズＦ１が動作を開始し、全駆動回路が遮断保護状態になる。
そして、ＬＥＤチップがその動作を停止し、前記本体１１のランプカップの温度が自己回復性温度ヒューズＦ１の初期動作値以下まで下がることを待って、駆動が回復されて、ＬＥＤチップが再び作業を始める。
【００２４】
また、前記入力端側には過電圧保護回路を構成するバリスタＲＶが並列に接続されている。
このバリスタＲＶの主要な作用は、瞬間的な過電圧から回路を保護するもので、落雷から回路を保護することができる。
【００２５】
前記整流回路３０においては、商用交流電流が整流ブリッジ回路Ｄ１を介して整流されたのち、Ｃ１、Ｃ２を通って、二重にフィルタリングされる。
【００２６】
前記整流回路３０の出力端には、パワーマネジメントチップＵ１が接続されている。
このパワーマネジメントチップＵ１は、ＶＩＰＥＲ１２Ａであって、広い範囲の入力の電圧範囲（８５〜２６５ＶＡＣ）で働くことができる。
パワーマネジメントチップＵ１のピン１と２は、一方、整流回路３０の出力端子Ｂに接続され、もう一方はトランスＴ１のフィードバックコイルのポート４に接続される。
パワーマネジメントチップＵ１のリード３（フィードバック入力端子）は、一方フォトカプラーＵ２（回路３２）からのフィードバック信号を受け入れ、もう一方はコンデンサＣ４を通じてトランスＴ１のフィードバックポート４に接続される。
パワーマネジメントチップＵ１のリード４は、一方フォトカプラーＵ２（回路３２）に接続され、もう一方はコンデンサＣ５を通じてトランスＴ１のフィードバックポート４に接続される。
パワーマネジメントチップＵ１のリード５，６，７，８は、ダイオードＤ２、Ｒ１、Ｃ３に接続されることによって、トランスＴ１の初級コイルポート１と２につながれている。
【００２７】
トランスＴ１のフィードバックコイルポート３は、Ｒ２とダイオードＤ３を介してパワーマネジメントチップＵ１のリード４に接続される。
トランスＴ１の二次側コイル８は、ダイオードＤ４に接続されることよって、出力端子の＋極に繋がれる。
【００２８】
コンデンサＣ６とＣ７の共通作用は、出力リップルとノイズ値を大幅に取り除くことで、ＬＥＤチップの長時間の運行を保障する。
定電流駆動の出力電流は、演算増幅器Ｕ３と限流抵抗Ｒ８とＲ９によって共にコントロールされる。
【００２９】
全定流駆動回路が作動するとき、負荷としての照明用発光ダイオードチップＬＥＤの正端子はダイオードＤ４、Ｄ５、コンデンサーＣ６、Ｃ７、抵抗Ｒ４の接続点に接続され、その負端子は抵抗Ｒ８と抵抗Ｒ９の接続点に接続される。
【００３０】
なお、前記フォトカプラフィードバック回路３２のフォトカプラＵ２の発光素子は、前記ＬＥＤ点灯回路３１に並列接続され、その発光光量が上述のようにフィードバックされる。
【００３１】
上記考案を実現する具体的なルートは次の通りである。
広い範囲の交流（１００〜２４０Ｖ）を入力し、整流ブリッジ回路Ｄ１の整流を通じて、直流電流に変わり、Ｃ１、Ｌ１、Ｃ２の二重フィルタリングを通って、陰極はパワーマネジメントチップＶＩＰＥＲ１２Ａのピン１と２へ接続され、陽極はトランスＴ１のポート１に接続される。パワーマネジメントチップＶＩＰＥＲ１２Ａは広い電圧の入力を受け入れることができる。
パワーマネジメントチップＶＩＰＥＲ１２Ａのピンと１と２は、一方、整流回路の出力端子Ｂに接続され、もう一方はトランスＴ１のフィードバックコイルポート４に接続される、リード３（フィードバック入力端子）は、一方フォトカプラーＵ２からのフィードバック信号を受け入れ、もう一方はコンデンサＣ４を通じてトランスＴ１のフィードバックポート４に接続される、リード４は、一方フォトカプラーＵ２に接続され、もう一方はコンデンサＣ５を通じてトランスＴ１のフィードバックポート４に接続される。
パワーマネジメントチップのリード５，６，７，８は、ダイオードＤ２、Ｒ１、Ｃ３に接続されることによって、トランスＴ１の初級コイルポート１と２に繋がれる。
【００３２】
トランスＴ１のフィードバックコイルポート３は、Ｒ２とダイオードＤ３を通ってパワーマネジメントチップのリード４に接続される。
トランスＴ１の二次側コイル８は、ダイオードＤ４に接続されることよって、出力端子の“＋”極に繋がれる。
コンデンサＣ６とＣ７の共通作用は、出力リップルとノイズ値を大幅に取り除くことで、ＬＥＤチップの長時間の運行を保障する。
演算増幅器Ｕ３と限流抵抗Ｒ８とＲ９は、共通に電気回路の定電流出力をコントロールする。
【００３３】
バリスタＲＶは過電圧の保護作用を果たすことができて、有効に落雷を防ぐことができる。
自己回復性温度ヒューズＦ１は過熱保護作用を果たすことができる。
全定流駆動回路が作動するとき、負荷としての照明用発光ダイオードチップＬＥＤの正端子はダイオードＤ４、Ｄ５、コンデンサーＣ６、Ｃ７と抵抗Ｒ４の接続点に接続され、負端子は抵抗Ｒ８と抵抗Ｒ９の接続点に接続される。
【００３４】
本願発明のＬＥＤ定電流駆動回路は、以下の特徴がある。
１.  駆動回路の中に自己回復性温度ヒューズを加えて、全体のＬＥＤランプ（電源駆動とＬＥＤチップを含む）に対して、良好な過熱保護作用を果たしている。
２.  駆動回路の出力端子のバリスタＲＶが落雷を防ぐ機能を有効に果たしている。
３.  全駆動回路は、ＳＴマイクロエレクトロニクス株式会社のチップＶＩＰＥＲ１２Ａをコントロールの核心にして、ＰＷＭコントロール機能、過熱保護機能、過電圧保護と過電流保護機能を持っている。また、同時に世界範囲内の広い電圧出力要求（８５〜２６５ＶＡＣ）を満たすことができる。
４.  電気回路はフォトカプラーＵ２を採用して高低圧の隔離を行う。全駆動回路のトポロジーである。
５.  抵抗Ｒ４、Ｒ６、Ｒ７、Ｒ８、Ｒ９、コンデンサＣ６、Ｃ７、ダイオードＤ５、フォトカプラーＵ２と２路線通用の演算増幅器Ｕ３が共に隔離フィードバック回路とフィルタリング回路を構成して、定電流の電圧安定出力を保証し、リップルとノイズを下げて、過電流と開路の保護を実現する。
６.  １００Ｖ〜２４０ＶＡＣの広い範囲の電圧の入力を受け入れることができる。
【００３５】
以上の実施例は、ＬＥＤ照明器具として電球形ＬＥＤランプであったが、蛍光灯形ＬＥＤランプ、スポットライト形ＬＥＤランプ、ダウンライト形ＬＥＤランプ、電気スタンド、シーリングライト、モールライトにおいても本願発明を利用することができる。
【符号の説明】
【００３６】
１  チップ載置部                        ２  放熱鰭
３  波浪（波浪表面）                    ４  鰭の底
５  中空内壁の表面（放熱中空壁表面）
６  円形押さえ塊の嵌め込み部（段）
７  円形押さえ塊
８  熱容部
１０  ＬＥＤ照明器具                    １１  本体
１２  ＬＥＤ定電流駆動回路              １３  商用電源接続部
１４  ラジエター                        １４ａ  外径
１４ｂ  外周
１５  放熱中空円柱体
１７  テーパ面
１８  発光窓
１９  上部内壁
２０  第１の枝部                        ２１  第２の枝部
３０  整流回路                          ３１  ＬＥＤ点灯回路
３２  フォトカプラフィードバック回路
５０  へこむ溝
Ｒ  所定の角度Ｒ
Ｏ  放熱中空円柱体の中心
ｒ  円弧
Ｔ１  トランス
Ｆ１  自己回復性温度ヒューズ
ＲＶ  バリスタ
Ｄ１  整流ブリッジ回路
Ｕ１  パワーマネジメントチップ
Ｕ２  フォトカプラ（フォトカプラー）
Ｕ３  演算増幅器
【図１】
2010114060.tif 000003
【図２】
2010114060.tif 000004
【図３】
2010114060.tif 000005
【図４】
2010114060.tif 000006
【図５】
2010114060.tif 000007
【図６】
2010114060.tif 000008
【図７】
2010114060.tif 000009
【図８】
2010114060.tif 000010
【図９】
2010114060.tif 000011
【図１０】
2010114060.tif 000012